(57)【特許請求の範囲】
【請求項１】
釣り糸が巻き付けられるスプールと、
前記スプールに釣り糸を巻き付けるためのラインローラと、前記ラインローラに釣り糸を案内するための湾曲した線材からなるベールと、前記ベールの両端が先端にそれぞれ連結された揺動する１対のベール支持部材とを含む開閉自在なベールアームを有するロータと、
前記ロータ及びスプールを前端部で支持するリールボディと、前記リールボディから前記ロータの径方向外方に延びる取付脚部と、前記取付脚部の先端で前後に延びる竿装着部とを有するリール本体と、
前記取付脚部に沿って延びた後湾曲して前記竿装着部に沿って近接して配置され、かつその湾曲部が前記ベールアームを閉じたときの前記ラインローラと前記ロータの径方向で実質的に重合する操作部を有し、前記リール本体に支持されて前記ロータの回転を制御するためのレバーと、
を備えたスピニングリール。
【請求項２】
前記レバーは、前記リール本体に揺動自在に支持される支持部と、前記支持部から前記取付脚部に沿って延びる中間部とを有し、前記操作部は、前記中間部から前記取付脚部に沿って延びた後前方に湾曲して前記竿装着部の前側部に沿って延びている、請求項１に記載のスピニングリール。
【請求項３】
前記レバーは、前記中間部から前記ロータに沿って前方に延びる保護部をさらに備える、請求項２に記載のスピニングリール。
【請求項４】
前記操作部と前記ラインローラとの最短距離が１５ｍｍ以上３５ｍｍ以下である、請求項１から３のいずれかに記載のスピニングリール。
【発明の詳細な説明】
【０００１】
【発明の属する技術分野】
本発明は、スピニングリール、特に、リール本体に揺動自在に支持されたレバーを有するスピニングリールに関する。
【０００２】
【従来の技術】
一般にスピニングリールは、リール本体と、リール本体に回転自在に支持されたロータと、ロータの前方に設けられ外周に釣り糸が巻き付けられる糸巻胴部を有するスプールとを有している。リール本体は、ロータ及びスプールを前端部で支持するリールボディと、リールボディからロータの径方向外方に延びる取付脚部と、取付脚部の先端から前後に延びる竿装着部とを有している。ロータは、回転軸を挟むように対向して配置された第１ロータアーム及び第２ロータアームを有しており、両アームの先端には、ベールアームが開閉自在に設けられている。ベールアームは、第１及び第２ロータアームの先端に揺動自在に装着されたベール支持部材と、一方のベール支持部材の先端に設けられたラインローラと、ベール支持部材の先端を連結するベールとを有している。釣り糸を巻き取る際には、ベール及びラインローラにより釣り糸がスプールの糸巻胴部に案内される。
【０００３】
このようなスピニングリールリールにおいて、魚とのやりとりを行う逆転時（糸繰り出し方向の回転時）にロータの回転を制動する制動機構を有するものがある。この制動機構は、通常、リール本体の取付脚に揺動自在に設けられた制動レバーにより操作される。この制動レバーは、取付脚部から斜め上前方に延びており、その先端の操作部は、竿装着部の前方に配置されている。このような制動レバーは、リールより前方で釣り竿を握ってその手の人差し指で操作されるので、釣り竿を強く握りつつ制動レバーを力を入れて操作することが行いづらい。
【０００４】
そこで、最近、制動レバーの先端の操作部を竿装着部の前側部に沿って近接して配置したものが実開平４−１１７５７７号公報に開示されている。このように制動レバーの操作部を竿装着部の近傍に配置すると、釣り竿の握持力を利用し、人差し指や中指を使用して制動レバーを強く握ることができ、釣り竿を強く握りつつ制動レバーを力を入れて操作できる。
【０００５】
【発明が解決しようとする課題】
一般に、スピニングリールを使用してキャスティングを行う際には、中指と薬指との間に取付脚部を挟んで釣り竿を握り、人差し指の先端でベールアームのラインローラの近傍を通る釣り糸を引っ掛けた後ベールアームを開放する。そして、釣り糸に人差し指で抵抗を与えるようにして釣り竿を振り投げ、リールが真上を向いた状態で釣り糸を人指し指から離し釣り糸を放出する。
【０００６】
前記従来の制動レバーの操作部が竿装着部の近傍に配置されたスピニングリールでは、人差し指だけでなく中指でも制動操作を行うことができるので、中指で制動レバーを操作するようにすれば、キャスティングの際に人差し指で釣り糸に抵抗を与えることができる。しかし、人差し指と中指との間で取付脚部を挟んで釣り竿を握り、人差し指で制動レバーを操作すると、中指で制動レバーを操作する場合に比べて手全体がリール後方に配置されることになる。このため、人差し指の先端とラインローラとの距離が遠くなり、キャスティングを行う際に人差し指で釣り糸を引っ掛けにくくなる。
【０００７】
本発明の課題は、レバーを有するスピニングリールにおいて、レバーを操作する指に係わらず人差し指で釣り糸を引っ掛けやすくすることにある。
【０００８】
【課題を解決するための手段】
第１の発明に係るスピニングリールは、スプールと、ロータと、リール本体と、レバーとを備えている。スプールは、釣り糸が巻き付けられる。ロータは、スプールに釣り糸を巻き付けるためのラインローラと、ラインローラに釣り糸を案内するための湾曲した線材からなるベールと、ベールの両端が先端にそれぞれ連結された揺動する１対のベール支持部材と含む開閉自在なベールアームを有している。リール本体は、ロータ及びスプールを前端部で支持するリールボディと、リールボディからロータの径方向外方に延びる取付脚部と、取付脚部の先端で前後に延びる竿装着部とを有している。レバーは、取付脚部に沿って延びた後湾曲して竿装着部に沿って近接して配置され、かつその湾曲部がベールアームを閉じたときのラインローラとロータの径方向で実質的に重合する操作部を有し、リール本体に支持されてロータの回転を制御するためのものである。
【０００９】
このスピニングリールでは、キャスティングの際には、人差し指と中指、又は中指と薬指との間で取付脚部を挟んで釣り竿を握り、人差し指の先端でラインローラの近傍を通る釣り糸を引っ掛けた後ベールアームを開放する。そして、釣り糸に人差し指で抵抗を与えるようにして釣り竿を振り投げ、リールが真上を向いた状態で釣り糸を人指し指から離し釣り糸を放出する。
【００１０】
この人差し指で釣り糸を引っ掛けるときに、レバーの操作部の湾曲部とベールアームを閉じたときのラインローラとがロータの径方向で実質的に重合しているので、人差し指で操作部を操作するために人差し指と中指との間で取付脚部を挟んで釣り竿を握ってもラインローラと人差し指先端との距離が近くなる。ここで、ベールアームを閉じたときのラインローラと湾曲部との実質的重合とは、ベールアームを閉じたとき、ラインローラの少なくとも一部がレバーの湾曲部とロータの径方向で重合していることを言う。
【００１１】
このため、人差し指で操作部を操作するように釣り竿を握っても、人差し指で釣り糸を引っ掛けやすくなる。もちろん、中指で操作部を操作するように釣り竿を握れば、人差し指とラインローラとの距離がさらに近くなるので、人差し指で釣り糸をさらに引っ掛けやすくなる。また、操作部の湾曲部が竿装着部の前側部に近接して配置されているので、釣り竿の握持力を利用し、人差し指や中指を使用してレバーを強く握ることができ、釣り竿を強く握りつつレバーを力を入れて操作できる。
【００１２】
発明２に係るスピニングリールは、発明１に記載のリールにおいて、レバーは、リール本体に揺動自在に支持される支持部と、支持部から取付脚部に沿って延びる中間部とを有し、操作部は、中間部から取付脚部に沿って延びた後前方に湾曲して竿装着部の前側部に沿って延びている。この場合には、中間部が取付脚部に沿って延び、操作部が前側部に沿って延びているので、レバーがリール本体に近接し、レバーを設けてもリールがコンパクトになる。
【００１３】
発明３に係るスピニングリールは、発明２に記載のリールにおいて、レバーは、中間部からロータに沿って前方に延びる保護部をさらに備える。この場合には、操作部を人差し指や中指で操作しても、回転するベールアームから指が保護される。
発明４に係るスピニングリールは、発明１から３のいずれかに記載のリールにおいて、操作部とラインローラとの最短距離が１５ｍｍ以上３５ｍｍ以下である。この場合には、操作部とラインローラとが適度な間隔のため、ラインローラ付近を通る釣り糸を引っ掛けやすく、かつ操作部を操作しても操作する指が回転するベールアームに接触することがない。
【００１４】
【発明の実施の形態】
図１において、本発明の一実施形態によるスピニングリールは、２つの把手１ａが両端に装着されたダブルハンドル１を有するリール本体２と、リール本体２の前部に回転自在に支持されたロータ３と、ロータ３の前部に配置され釣り糸が巻き付けられる糸巻胴部４ａを有するスプール４とを備えている。
【００１５】
リール本体２は、リールボディ２ａと、リールボディ２ａの上部に形成されスピニングリールを釣り竿に取り付けるための取付脚２ｂと、取付脚２ｂの先端で前後に延びる竿装着部２ｃとを有している。リールボディ２ａの内部には、ロータ３を回転させるためのロータ駆動機構（図示せず）と、スプール４を回転軸芯に沿って前後方向に移動させてスプール４に釣り糸を均一に巻取るためのオシレーティング機構（図示せず）と、ロータを制動するロータ制動機構６（図２）とが設けられている。取付脚２ｂは、リールボディ２ａからロータ３の径方向外方で糸巻胴部４ａまで湾曲して延び、かつさらに外方に延びている。竿装着部２ｃは、前側部が後述するロータ３のラインローラ１１に重なり合う位置まで延びている。
【００１６】
ロータ３は、図１及び図２に示すように、円筒部３ａと、円筒部３ａの側方に互いに対向して設けられた第１ロータアーム３ｂ及び第２ロータアーム３ｃとを有している。円筒部３ａの前壁３ｄの中央部には貫通孔３ｅを有するボス部３ｆが形成されている。この貫通孔３ｅにスプール軸８及びピニオンギヤ１２が貫通している。ピニオンギヤ１２は、ハンドル１の回転軸に取り付けられたマスターギヤ（図示せず）に噛み合っている。
【００１７】
第１ロータアーム３ｂと第２ロータアーム３ｃとの間には、釣り糸をスプール４に巻き付けるためのベールアーム９が糸開放状態と糸巻取状態とに開閉自在に設けられている。ベールアーム９は、第１ロータアーム３ｂ及び第２ロータアーム３ｃの先端にそれぞれ揺動自在に装着された１対のアームカム１０ａ，１０ｂと、ラインローラ１１と、ベール１３とを有している。ラインローラ１１は、一方のアームカム１０ａの先端に回転自在に装着されている。ベール１３は、一方のアームカム１０ａのラインローラ１１近傍と他方のアームカム１０ｂとを連結する線材からなる湾曲した部材である。このベールアーム９は、キャスティング時に糸開放状態に起こされ、スプール４から釣り糸が放出される。また、ベールアーム９が倒されて糸巻取状態でロータ３が回転すると、釣り糸がベール１３からラインローラ１１に案内され、スプール４に巻き付けられる。このため、糸巻取状態では、釣り糸と常にラインローラ１１を通ってスプールに巻き取られる。
【００１８】
スプール４は、ロータ３の第１ロータアーム３ｂと第２ロータアーム３ｃとの間に配置されており、スプール軸８の先端に装着されている。スプール４は、外周に釣り糸が巻かれる糸巻き胴部４ａと、糸巻き胴部４ａの後部に一体成形されたスカート部４ｂと、糸巻き胴部４ａの前端に固定されたフランジ部４ｃとを有している。スプール軸８は、図示しないオシレーティング機構により前後方向に移動可能である。
【００１９】
ロータ制動機構６は、図２に示す制動部２０と、制動部２０を制動操作するための制動レバー２１とを有している。
制動部２０は、制動レバー２１により制動される制動部本体３１と、制動部本体３１をロータ３の糸繰り出し方向の回転にのみ連動して回転させるワンウェイクラッチ３２とを有している。
【００２０】
制動レバー２１は、リールボディ２ａと取付脚２ｂとの境界部分において、ボディ２ａに支持軸３３により揺動自在に支持されており、かつ図示しない付勢部材により図１の反時計回りに付勢されている。制動レバー２１は、支持軸３３に支持される支持部２１ａと、支持部２１ａから取付脚２ｂに沿って延びる中間部２１ｂと、中間部２１ｂから前方に湾曲して竿装着部２ｃに沿って延びる操作部２１ｃと、中間部２１ｂから前方に延びるカバー部２１ｄとを有している。操作部２１ｃは、竿装着部２ｃの近傍に配置されており、中間部２１ｂから竿装着部２ｃに向かって取付脚２ｂに沿って延びた後竿装着部２ｃの前側部に沿って湾曲して前方に延びている。また、操作部２１ｃの湾曲部２１ｅは、ラインローラ１１を含むベールアーム９とロータ３の径方向で重合している。具体的には、操作部２１ｃの湾曲部２１ｅとアームカム１０ａとは図１の上下方向で重なり合っている。カバー部２１ｄは、スプール４の先端まで延びている。また、制動レバー２１は、支持部２１ａから湾曲して斜め下方に延びており、その先端には、制動作用部２３が設けられている。
【００２１】
このように、操作部２１ｃが竿装着部２ｃの近傍に配置されているので、釣り竿の握持力を利用して制動レバー２１を強く握ることができ、制動レバー２１の操作性が向上する。また、操作部２１ｃの湾曲部２１ｅとベールアーム９とが重合しているので、ラインローラ１１と湾曲部２１ｅとの距離が近くなる。このため、操作部２１ｃを人差し指で操作するために、湾曲部２１ｅ付近に人差し指を配置して釣り竿を握っても、人差し指でラインローラ１１を通る釣り糸を容易に引っ掛けることができる。
【００２２】
制動部本体３１は、図２に示すように、ロータ３の内周側にロータ３と同芯に配置された制動円筒４０と、制動円筒４０を揺動自在かつ回動不能に支持する回転円筒４１と、リールボディ２ａに取り付けられた制動シュー４２とを有している。
【００２３】
制動円筒４０は有底円筒形状であり、その外周面４０ａの先端が制動シュー４２と制動レバー２１の制動作用部２３との間に配置される。制動円筒４０は、その中心部に内方に折れ曲がった支持面４０ｃを有している。支持面４０ｃは、円筒形状である。制動円筒４０の底面４０ｂには、十字状の係合溝４３が形成されている。この係合溝４３は支持面４０ｃの端部まで延びている。
【００２４】
回転円筒４１は、前端がワンウェイクラッチ３２によってロータ３の糸繰り出し方向の回転には一体で回転し、巻取時にはロータ３の回転力が作用しないように支持され、後端が軸受４４によってボディ２ａに回転自在に支持されている。回転円筒４１の中間部外周には、支持面４０ｃを支持するための自在継手部４５が設けられている。自在継手部４５は、回転円筒４１にねじ込まれ外周面に球面の一部が形成された回転リング部４５ａと、回転リング部４５ａの周面から十字状に外方に突出する円柱状の４つの係合突起４５ｂとを有している。この係合突起４５ｂが係合溝４３に係合しかつ支持面４０ｃが回転リング部４５ａに支持されることで、制動円筒４０が回転円筒４１に回転不能かつ揺動自在に支持される。
【００２５】
回転リング部４５ａの両側には、１対のバネ受けリング４６が接触して配置されている。右側のバネ受けリング４６と軸受４４との間及び左側のバネ受けリング４６とワンウェイクラッチ３２との間には、制動円筒４０の先端を、制動シュー４２と制動レバー２１の制動作用部２３とに接触しない所定の姿勢に維持するための円錐コイルバネ４７が圧縮状態で配置されている。
【００２６】
このように、制動円筒４０が回転不能かつ揺動自在に回転円筒４１に支持されているので、制動レバー２１により制動をかけたときには制動円筒４０が図２R>２に２点鎖線で示す位置に傾く。しかし、制動円筒４０が回転円筒４１に揺動自在に支持されているので制動時に回転円筒４１やピニオンギヤ１２に曲げモーメントが作用せずこれらがコゼにくくなり、ロータ３の回転に影響を及ぼさず回転が重くなりにくい。
【００２７】
ワンウェイクラッチ３２は外輪遊転型のものであり、ロータ３の円筒部に外輪が固定され、回転円筒４１の先端外周に内輪が固定されている。このワンウェイクラッチ３２は、ロータ３が糸繰り出し方向に回転したときのみその回転力を回転円筒４１に伝達する。このため、ロータ３が糸繰り出し方向に回転すると回転円筒４１が回転して制動機構６による制動が可能になる。一方、ロータ３が糸巻取方向に回転すると、回転円筒４１は回転せず、ロータ制動機構６による制動はできない。
【００２８】
次に、リールの動作について説明する。
【００２９】
キャスティング時には、人差し指と中指又は中指と薬指との間に取付脚２ｂを挟んで釣り竿を握り、人差し指の先端でベールアーム９のラインローラ１１の近傍を通る釣り糸を引っ掛けた後ベールアーム９を開放姿勢に起こす。そして、人差し指で釣り糸に抵抗を与えるようにして釣り竿を振り投げ、リールが真上を向いた状態で釣り糸を人指し指から離し釣り糸を放出する。このとき、ロータ３はほとんど回転しない。そして、仕掛けが着水すると、人差し指をスプール４の先端のフランジ部４ｃに近づけ釣り糸の繰り出し速度を調整する。そして、水深等を考慮して釣り糸を繰り出しを止める場合には、ハンドル１を回してベールアーム９を倒して巻取状態にし当たりを待つ。
【００３０】
このキャスティング時に、人差し指で釣り糸を引っ掛ける際に、リール本体２の操作部２１ｃが近接配置された竿装着部２ｃが従来より前方に配置されているので、ラインローラ１１と人差し指との距離が小さくなる。このため、人差し指で制動レバー２１を操作すべく人差し指と中指とで取付脚２ｂを挟んでも、人差し指で釣り糸を引っ掛けやすくなる。
【００３１】
釣り糸巻き上げ時には、ベールアーム９が倒された状態でハンドル１を回転させると、この回転力はハンドルの回転軸、マスターギヤを介してピニオンギヤ１２に伝達される。このピニオンギヤ１２に伝達された回転力は、ピニオンギヤ前部を介してロータ３に伝達される。このとき、ロータ３は、糸巻取方向に回転するので、この回転力は、前述したようにワンウェイクラッチ３２により回転円筒４１には伝達されない。また、ピニオンギヤ１２が回転すると図示しない中間ギヤによりその回転がオシレーティング機構に伝達され、スプール軸８が前後方向に往復移動して、ベールアーム９に案内されて釣り糸がスプール４に均一に巻き取られる。このとき、ロータ３が回転するが、カバー部２１ｄが操作部２１ｃとロータ３との間に配置されているので、釣り竿を握ってリールを操作しても釣り竿を握った手指がロータ３に接触しにくい。
【００３２】
魚がかかったときに魚とやりとりするときには、制動レバー２１を操作しながらロータ３を逆転（糸繰り出し方向の回転）させる。釣り糸が魚により引かれてロータ３が逆転すると、前述したように、その回転力がワンウェイクラッチ３２を介して回転円筒４１に伝達され、さらに自在継手部４５を介して制動円筒４０に伝達され、制動円筒４０がロータ３と一体で回転する。そして、制動レバー２１の操作部２１ｃを中指又は人差し指で釣り竿とともに握って竿装着部２ｃに近づけると、制動作用部２３が制動円筒４０の外周面４０ａの先端内周を押圧し、制動円筒４０を図２に２点鎖線で示す位置に傾け、外周面４０ａの先端外周を制動シュー４２に圧接する。この結果、逆転するロータ３に制動力が作用する。
【００３３】
この制動レバー２１に加える力を加減することで制動力を調整してロータ３の逆転量を任意に調整できる。また、このとき、制動円筒４０が回転円筒４１に自在継手部４５により揺動自在に支持されているので、ピニオンギヤ１２にそれをコゼようとする力が作用せず、ロータ３の回転が重くなることがない。また、外輪遊転型のワンウェイクラッチ３２を用いているので、ロータ３の回転が逆転して高速回転しても、高速回転するほど転動ローラと外輪との圧接力が強まり、制動開始時の動作が安定する。
【００３４】
また、この逆転制動ときにはロータ３が魚に引かれて逆転しているので、ロータ３の回転を釣り人が意識しづらいため注意が散漫になる。また、逆転時に制動を緩めると制動レバー２１がロータ３側に近づく。このような場合でも、カバー部２１ｄが操作部２１ｃとロータ３との間に配置されているので、制動レバー２１を釣り竿とともに握っても、握った手指がロータ３に接触することはない。
【００３５】
〔他の実施形態〕
（ａ）  前記実施形態では制動機構を制動レバーで操作しているが、本発明はこれに限定されるものではなく、ロータの逆転防止機構をレバーで操作するもの等のレバーでロータの回転を制御する全てのスピニングリールに適用できる。
【００３６】
（ｂ）  レバーの形状は前記実施形態に限定されるものではなく、竿装着部近傍に操作部が配置されている形状であればよい。
【００３７】
【発明の効果】
本発明に係るスピニングリールでは、人差し指で釣り糸を引っ掛けるときに、レバーの操作部の湾曲部とベールアームとがロータの径方向で実質的に重合しているので、人差し指で操作部を操作するために人差し指と中指との間で取付脚部を挟んで釣り竿を握ってもラインローラと人差し指先端との距離が近くなる。このため、人差し指で操作部を操作するように釣り竿を握っても人差し指で釣り糸を引っ掛けやすくなる。また、操作部が竿装着部の前側部に近接して配置されているので、釣り竿の握持力を利用し、人差し指や中指を使用してレバーを強く握ることができ、釣り竿を強く握りつつレバーを力を入れて操作できる。
【図面の簡単な説明】
【図１】  本発明の一実施形態によるスピニングリールの側面図。
【図２】  その制動機構の断面図。
【符号の説明】
２  リール本体
２ａ  リールボディ
２ｂ  取付脚
２ｃ  竿装着部
３  ロータ
３ｂ  第１ロータアーム
３ｃ  第２ロータアーム
４  スプール
４ａ  糸巻胴部
９  ベールアーム
１１  ラインローラ
２１  制動レバー
２１ａ  支持部
２１ｂ  中間部
２１ｃ  操作部
２１ｄ  カバー部
２１ｅ  湾曲部
【図１】
0003745862.tif 000002
【図２】
0003745862.tif 000003